(57)【特許請求の範囲】
【請求項１】
無線ＩＣデバイスからアンテナを介して電波を受信する通信端末装置であって、
前記アンテナが感知する電波強度を変化させるために少なくともそのアンテナの一部分に設けられた電波強度変更部材と、
前記無線ＩＣデバイスから前記アンテナを介して受信した電波強度を逐次取得する取得手段と、
前記取得手段により逐次取得した電波強度を示す一連のデータの中に含まれていて前記電波強度変更部材による影響を受けているデータ部分を参照することにより前記アンテナに対する前記無線ＩＣデバイスの動きを認識する認識手段と、
前記認識手段により認識された前記無線ＩＣデバイスの動きに応じて所定の処理を実行させる処理制御手段と、
を具備したことを特徴とする通信端末装置。
【請求項２】
前記電波強度変更部材は、前記無線ＩＣデバイスの移動方向に応じて前記アンテナの一部分に設けられた電波強度を変化させるための物質であり、
前記認識手段は、前記取得手段により逐次取得した電波強度を示す一連のデータのうち、前記電波強度変更部材による影響を受けているデータ部分とそれ以外のデータ部分との位置関係に応じて前記アンテナに対する前記無線ＩＣデバイスの移動方向を認識する、
ようにしたことを特徴とする請求項１記載の通信端末装置。
【請求項３】
前記アンテナは、平面アンテナであり、
前記電波強度変更部材は、シート状の部材であり、このシート状部材を前記平面アンテナの一部分に取り付けて成る、
ことを特徴とする請求項２記載の通信端末装置。
【請求項４】
前記処理制御手段は、前記認識手段により認識された無線ＩＣデバイスの移動方向に応じて入出管理処理を実行させる、
ようにしたことを特徴とする請求項２記載の通信端末装置。
【請求項５】
前記処理制御手段は、前記認識手段により認識された無線ＩＣデバイスの移動方向に応じて所定の情報を入力する情報入力処理を実行させる、
ようにしたことを特徴とする請求項２記載の通信端末装置。
【請求項６】
前記アンテナは、平面アンテナであり、
前記電波強度変更部材は、前記平面アンテナをマトリックス状に区分した領域毎に電波感度がそれぞれ異なるように電波強度を変化させるための物質であり、
前記認識手段は、前記取得手段により逐次取得した電波強度を示す一連のデータの解析結果に基づいて、前記アンテナに対する前記無線ＩＣデバイスの２次元的な動きを認識する、
ようにしたことを特徴とする請求項１記載の通信端末装置。
【請求項７】
前記アンテナは、平面アンテナであり、
前記電波強度変更部材は、前記電波強度の変化量がそれぞれ異なる第１のシート状部材及び第２のシート状部材を有し、この第１及び第２のシート状部材の一部分が互いに重なり合うように前記第１及び第２のシート状部材を前記平面アンテナにそれぞれ取り付ける、
ようにしたことを特徴とする請求項６記載の通信端末装置。
【請求項８】
前記処理制御手段は、前記認識手段により認識された無線ＩＣデバイスの２次元的な動きに応じて所定の情報を入力する情報入力処理を実行させる、
ようにしたことを特徴とする請求項６記載の通信端末装置。
【請求項９】
前記認識手段は、前記無線ＩＣデバイスの動きを認識するほか、当該無線ＩＣデバイスが所定の処理実行用の無線ＩＣデバイスであるか否かを認識し、
前記処理制御手段は、前記無線ＩＣデバイスが所定の処理実行用の無線ＩＣデバイスであることを条件に、前記所定の処理を実行させる、
ようにしたことを特徴とする請求項１記載の通信端末装置。
【請求項１０】
前記アンテナは、平面アンテナであり、
前記電波強度変更部材は、前記平面アンテナをマトリックス状に区分した領域毎に電波感度がそれぞれ異なるように電波強度を変化させるための物質であり、
前記認識手段は、前記取得手段により逐次取得した電波強度を示す一連のデータの解析結果に基づいて、前記アンテナに対する前記無線ＩＣデバイスの２次元的な動きとして、前記アンテナ上のどの領域からどの領域に移行されたかの移行箇所を認識し、
前記処理制御手段は、前記認識手段により認識された移行箇所毎にその移行箇所の領域に関する情報を入力する情報入力処理を実行させる、
ようにしたことを特徴とする請求項１記載の通信端末装置。
【請求項１１】
コンピュータに対して、
無線ＩＣデバイスからアンテナを介して受信した電波強度を逐次取得する機能と、
前記逐次取得した電波強度を示す一連のデータの中に含まれていて、前記アンテナが感知する電波強度を変化させるために少なくともそのアンテナの一部分に設けられた電波強度変更部材による影響を受けているデータ部分を参照することにより前記アンテナに対する前記無線ＩＣデバイスの動きを認識する機能と、
前記認識された前記無線ＩＣデバイスの動きに応じて所定の処理を実行させる機能と、
を実現させるためのプログラム。
【発明の詳細な説明】
【技術分野】
【０００１】
本発明は、無線ＩＣデバイスからアンテナを介して電波を受信する通信端末装置及びプログラムに関する。
【背景技術】
【０００２】
近年、無線ＩＣデバイスとしての非接触ＩＣカードは、例えば、交通カード、電子マネー、入館証、個人確認などのように多方面で利用されている。この非接触ＩＣカードからアンテナを介して電波を受信する通信端末装置に対して、この非接触ＩＣカード内に登録されている情報以外の情報を入力する場合に、非接触ＩＣカードの所持者（利用者）側では、別途のキーボードから操作を行う必要があった。例えば、施設の入退場兼用口にＩＣカードリーダライタ付きのゲート装置（通信端末装置）が設置されている状態において、このゲート装置を通過する利用者が構内へ入場するのか、構外へ退場するのかを、そのゲート装置側に設けられているキーを操作することにより行っていた。このように入退場時において特別なキー操作を利用者に対して強要することは、利用者に大きな負担をかけてしまうという問題がある。
【０００３】
そこで、従来においては、施設の入退場口に１つの指向性アンテナを入場者がやって来る（又は、退場者が去って行く）方向に対して斜め方向となるように傾けて設置しておき、入退場口を通過する際に、通過する非接触ＩＣデバイスとの無線通信の電界強度の遷移が通過する方向に応じて片寄ることを利用して、入場であるか、退場であるかを判断するようにした技術が開示されている（特許文献１参照）。
【先行技術文献】
【特許文献】
【０００４】
【特許文献１】特開２００５−０９２８１６号公報
【発明の概要】
【発明が解決しようとする課題】
【０００５】
しかしながら、上述した先行技術にあっては、指向性アンテナに対して利用者がある程度（例えば、数十ｃｍ程度）離れて通行しなければ、電界強度の遷移の差を的確に検出することができなくなり、また、指向性アンテナを傾けて設置する必要があるために実装上の制約を受けるという問題があった。
このことは、入退場兼用口のゲート装置を通過する場合に限らず、非接触ＩＣカード内に登録されている情報以外の情報として、例えば、文字、コマンドなどの情報を入力する場合も同様に、非接触ＩＣカードの所持者（利用者）側では、別途のキーボードから操作を行う必要があり、利用者に大きな負担をかけてしまう。
【０００６】
本発明の課題は、無線ＩＣデバイスとアンテナとの距離関係やアンテナの設置状態に拘わらず、アンテナに対する無線ＩＣデバイスの動きに応じて所定の処理を適切に実行できるようにすることである。
【課題を解決するための手段】
【０００７】
上述した課題を解決するために請求項１記載の発明は、
無線ＩＣデバイスからアンテナを介して電波を受信する通信端末装置であって、
前記アンテナが感知する電波強度を変化させるために少なくともそのアンテナの一部分に設けられた電波強度変更部材と、
前記無線ＩＣデバイスから前記アンテナを介して受信した電波強度を逐次取得する取得手段と、
前記取得手段により逐次取得した電波強度を示す一連のデータの中に含まれていて前記電波強度変更部材による影響を受けているデータ部分を参照することにより前記アンテナに対する前記無線ＩＣデバイスの動きを認識する認識手段と、
前記認識手段により認識された前記無線ＩＣデバイスの動きに応じて所定の処理を実行させる処理制御手段と、
を具備したことを特徴とする。
【０００８】
請求項１に従属する発明として、
前記電波強度変更部材は、前記無線ＩＣデバイスの移動方向に応じて前記アンテナの一部分に設けられた電波強度を変化させるための物質であり、
前記認識手段は、前記取得手段により逐次取得した電波強度を示す一連のデータのうち、前記電波強度変更部材による影響を受けているデータ部分とそれ以外のデータ部分との位置関係に応じて前記アンテナに対する前記無線ＩＣデバイスの移動方向を認識する、
ようにしたことを特徴とする、請求項２記載の発明であってもよい。
【０００９】
請求項２に従属する発明として、
前記アンテナは、平面アンテナであり、
前記電波強度変更部材は、シート状の部材であり、このシート状部材を前記平面アンテナの一部分に取り付けて成る、
ことを特徴とする、請求項３記載の発明であってもよい。
【００１０】
請求項２に従属する発明として、
前記処理制御手段は、前記認識手段により認識された無線ＩＣデバイスの移動方向に応じて入出管理処理を実行させる、
ようにしたことを特徴とする、請求項４記載の発明であってもよい。
【００１１】
請求項２に従属する発明として、
前記処理制御手段は、前記認識手段により認識された無線ＩＣデバイスの移動方向に応じて所定の情報を入力する情報入力処理を実行させる、
ようにしたことを特徴とする、請求項５記載の発明であってもよい。
【００１２】
請求項１に従属する発明として、
前記アンテナは、平面アンテナであり、
前記電波強度変更部材は、前記平面アンテナをマトリックス状に区分した領域毎に電波感度がそれぞれ異なるように電波強度を変化させるための物質であり、
前記認識手段は、前記取得手段により逐次取得した電波強度を示す一連のデータの解析結果に基づいて、前記アンテナに対する前記無線ＩＣデバイスの２次元的な動きを認識する、
ようにしたことを特徴とする、請求項６記載の発明であってもよい。
【００１３】
請求項６に従属する発明として、
前記アンテナは、平面アンテナであり、
前記電波強度変更部材は、前記電波強度の変化量がそれぞれ異なる第１のシート状部材及び第２のシート状部材を有し、この第１及び第２のシート状部材の一部分が互いに重なり合うように前記第１及び第２のシート状部材を前記平面アンテナにそれぞれ取り付ける、
ようにしたことを特徴とする、請求項７記載の発明であってもよい。
【００１４】
請求項６に従属する発明として、
前記処理制御手段は、前記認識手段により認識された無線ＩＣデバイスの２次元的な動きに応じて所定の情報を入力する情報入力処理を実行させる、
ようにしたことを特徴とする、請求項８記載の発明であってもよい。
【００１５】
請求項１に従属する発明として、
前記認識手段は、前記無線ＩＣデバイスの動きを認識するほか、当該無線ＩＣデバイスが所定の処理実行用の無線ＩＣデバイスであるか否かを認識し、
前記処理制御手段は、前記無線ＩＣデバイスが所定の処理実行用の無線ＩＣデバイスであることを条件に、前記所定の処理を実行させる、
ようにしたことを特徴とする、請求項９記載の発明であってもよい。
【００１６】
請求項１に従属する発明として、
前記アンテナは、平面アンテナであり、
前記電波強度変更部材は、前記平面アンテナをマトリックス状に区分した領域毎に電波感度がそれぞれ異なるように電波強度を変化させるための物質であり、
前記認識手段は、前記取得手段により逐次取得した電波強度を示す一連のデータの解析結果に基づいて、前記アンテナに対する前記無線ＩＣデバイスの２次元的な動きとして、前記アンテナ上のどの領域からどの領域に移行されたかの移行箇所を認識し、
前記処理制御手段は、前記認識手段により認識された移行箇所毎にその移行箇所の領域に関する情報を入力する情報入力処理を実行させる、
ようにしたことを特徴とする、請求項１０記載の発明であってもよい。
【００１７】
また、上述した課題を解決するために請求項１１記載の発明は、
コンピュータに対して、
無線ＩＣデバイスからアンテナを介して受信した電波強度を逐次取得する機能と、
前記逐次取得した電波強度を示す一連のデータの中に含まれていて、前記アンテナが感知する電波強度を変化させるために少なくともそのアンテナの一部分に設けられた電波強度変更部材による影響を受けているデータ部分を参照することにより前記アンテナに対する前記無線ＩＣデバイスの動きを認識する機能と、
前記認識された前記無線ＩＣデバイスの動きに応じて所定の処理を実行させる機能と、
を実現させるためのプログラム、であることを特徴とする。
【発明の効果】
【００１８】
本発明によれば、無線ＩＣデバイスとアンテナとの距離関係やアンテナの設置状態に拘わらず、アンテナに対する無線ＩＣデバイスの動きに応じて所定の処理を適切に実行することができ、実用性に富んだものとなる。
【図面の簡単な説明】
【００１９】
【図１】（１）は、通信端末装置として適用したＩＣカードリーダ付きゲート装置（自動改札装置）の外観図、（２）は、その自動改札装置の基本的な構成要素を示したブロック図。
【図２】（１）は、アンテナ７の一部分に電磁波減衰シート９を取り付けた状態を示した図、（２）、（３）は、自動改札装置に対する非接触ＩＣカード１０の通過方向（カード移動方向）を示した図。
【図３】（１）は、図２（２）に示した移動方向の場合において電波強度検出部８から逐次取得した電波強度の時間的な推移を示した図、（２）は、図２（３）に示した移動方向の場合において電波強度検出部８から逐次取得した電波強度の時間的な推移を示した図。
【図４】非接触ＩＣカード１０の認識処理に関する自動改札装置の動作概要を示したフローチャート。
【図５】第２実施形態において、アンテナ７の一部分に電磁波減衰シート９Ａ、９Ｂを取り付けた状態を示した図。
【図６】第２実施形態において、アンテナ７上での非接触ＩＣカード１０の２次元的な動きに応じて、どのような情報が入力されるのかを説明するための図。
【図７】第２実施形態において、情報の入力開始を指示する指示操作に応答して実行開始される情報入力処理を示したフローチャート。
【図８】パターン判定処理（図７のステップＢ１０）を詳述するためのフローチャート。
【図９】第３実施形態において、（１）は、アンテナ７の一部分に電磁波減衰シート９Ａ、９Ｂを取り付けた状態を示した図、（２）は、非接触ＩＣカード１０がアンテナ７上のどの領域からどの領域に移行されたかの移行箇所の前後における電波強度変化パターンを示した図。
【図１０】第３実施形態において、情報の入力開始を指示する指示操作に応答して実行開始される情報入力処理を示したフローチャート。
【発明を実施するための形態】
【００２０】
（実施形態１）
以下、図１〜図４を参照して本発明の第１実施形態を説明する。
この実施形態は、無線ＩＣデバイス（例えば、非接触ＩＣカード）からアンテナを介して電波を受信する通信端末装置として、ＩＣカードリーダ付きのゲート装置（自動改札装置）に適用した場合を例示したもので、図１（１）は、通信端末装置としての自動改札装置の外観図であり、図１（２）は、その自動改札装置の基本的な構成要素を示したブロック図である。
【００２１】
この自動改札装置は、特定施設（例えば、鉄道の無人駅など）の入退場兼用口に設置される簡易型の自動改札装置であり、図１（１）に示すように、図中、右側をホーム側とし、また、左側を駅舎側とすると、ユーザは入場時に、図中、左側から右側方向に移動して、無線ＩＣデバイスとしての非接触ＩＣカード（交通カード）を自動改札装置の上面部（後述するＩＣカードリーダの対応する部分）にかざしながら又は滑らせながら入場するようにし、また、退場時には図中、右側から左側方向に移動して、非接触ＩＣカード（交通カード）を自動改札装置の上面部にかざしながら又は滑らせながら退場するようにしている。
【００２２】
この簡易型の自動改札装置は、ＣＰＵ１を中核として動作するもので、ＣＰＵ１は、電源部（図示省略）からの電力供給によって動作し、記憶部２内の各種のプログラムに応じてこの自動改札装置の全体動作を制御する。記憶部２は、例えば、ＲＯＭ、ハードディスク、フラッシュメモリのいずれかを使用し、又はそれらを組み合わせた構成で、プログラム記憶部Ｍ１、入出管理情報記憶部Ｍ２などを有している。プログラム記憶部Ｍ１は、図４に示した動作手順に応じて本実施形態を実現するためのプログラムや各種のアプリケーションなどが格納されているほか、それらに必要となる各種の情報が記憶されている。入出管理情報記憶部Ｍ２は、入場処理や退場処理の実行結果などを集計管理するためのメモリである。
【００２３】
ＲＡＭ３は、フラグ情報、後述する電波強度データ、表示データなど、自動改札装置が動作したり、必要としたりする各種の情報を一時的に記憶するワーク領域である。表示部４は、例えば、高精細液晶、有機ＥＬ（Electro Luminescence）、電気泳動型ディスプレイ（電子ペーパ）のいずれかを使用して、各種の案内情報や入出管理情報などを表示する。入力部５は、図示省略したが、押しボタン形式の各種のキーとして、例えば、電源をオン／オフさせるキー、入出管理情報の呼び出しキー、その他のファンクションキーなどを備えたキー操作部であり、ＣＰＵ１は、この入力部５からの入力操作信号に応じた処理として、電源オン／オフ処理、入出管理情報出力処理などを実行する。
【００２４】
ＩＣカードリーダ６は、自動改札装置の上面部側に向けて取り付けられたもので、利用者は、非接触ＩＣカード（交通カード）１０を自動改札装置の上面部にかざしながら又は滑らせながら入場したり、退場したりするが、その際、非接触ＩＣカード１０との間で近距離通信（非接触通信）を行うことにより、非接触ＩＣカード１０からアンテナ７を介して受信した電波に基づいて、そのカード情報を読み取るようにしている。なお、ＩＣカードリーダ６は、例えば、密着型（通信距離は２ｍｍまで）、近接型（通信距離は１０ｃｍまで）、近傍型（通信距離は７０ｃｍまで）のいずれかであるが、通信距離は、これに限らず、任意である。非接触ＩＣカード１０は、カード内部にアンテナ（図示省略）を有し、自動改札装置から発信する弱い電波を利用してデータを送受信するもので、カード自体の駆動用電力をも受信電波から生成するパッシブ型であるが、電池を内蔵するアクティブ型などであってもよい。
【００２５】
ここで、ＣＰＵ１は、このＩＣカードリーダ６によって読み取られたカード情報に基づいて入出管理処理としての入場処理又は退場処理を実行するようにしている。電波強度検出部８は、非接触ＩＣカード１０からアンテナ７を介して受信した電波の強度を検出するもので、ＣＰＵ１は、非接触ＩＣカード１０がＩＣカードリーダ６に近付いて来てからそれが遠ざかるまでの間、電波強度検出部８から電波強度を逐次取得して、一連の電波強度データとしてＲＡＭ３内に一時記憶させるようにしている。
【００２６】
図２は、アンテナ７の一部分に電磁波減衰シート９を取り付けた状態を示した図である。
アンテナ７は、図２（１）に示すように、同一平面上に配置されていて全体が矩形枠（長方形枠）に設けられた平面ループアンテナで、その略半分の領域毎に電波感度が異なるようにするために、図中、アンテナ７の左半分領域には、電磁波減衰シート９が取り付けられている。この電磁波減衰シート９は、アンテナ７が感知する電波強度を変化（減衰）させるためのもので、非接触ＩＣカード１０からの電波の一部を反射する反射型又は吸収する吸収型の電磁波減衰シートであるが、その構成は問わない。
【００２７】
例えば、電磁波減衰シート９は、電磁波を遮断する導電繊維（銀繊維）をメッシュ状に編み上げることで電磁波を減衰したり、軟磁性体が自然共鳴して電磁波を熱エネルギーに変えることで電磁波を減衰したりするもので、シート全体の減衰率は均一となっている。本実施形態において、電磁波減衰シート９の減衰率は略４０％としているが、その値は４０％に限らず、任意であってもよい。また、電磁波減衰シート９は、アンテナ７の全体よりも大きめの矩形サイズで、アンテナ７の左半分領域とその周辺を含む領域を覆うように取り付けられているが、アンテナ７のみを覆うものであってもよい。
【００２８】
図２（２）、（３）は、非接触ＩＣカード１０の通過方向（カード移動方向）を示している。すなわち、図２（２）は、図中、左側から右側方向への移動方向（Ａ）、つまり、入場時における移動方向を示し、図２（３）は、図中、右側から左側方向への移動方向（Ｂ）、つまり、退場時における移動方向を示している。この場合、図２（１）に示すように電磁波減衰シート９は、アンテナ７の左半分領域を覆うように取り付けられているので、非接触ＩＣカード１０がアンテナ７上を移動する際に、その移動方向（Ａ）の場合には、電磁波減衰シート９が取り付けられている部分（シート部分）から電磁波減衰シート９が取り付けられていない部分（非シート部分）を通過することになり、移動方向（Ｂ）の場合には、非シート部分からシート部分に移動することになる。
【００２９】
図３は、電波強度検出部８から逐次取得した電波強度の時間的な推移を示した図で、縦軸が電波強度、横軸が時間を示している。図３（１）は、図２（２）に示したように非接触ＩＣカード１０の移動方向が（Ａ）の場合、図３（２）は、図２（３）に示したように非接触ＩＣカード１０の移動方向が（Ｂ）の場合である。この場合、電波強度は、非接触ＩＣカード１０が近付いて来るか、遠ざかるかに従って変化すると共に、非接触ＩＣカード１０が電磁波減衰シート９の取り付け領域に近いか、それ以外の領域に近いかに応じて変化するようになる。図３（１）において、図中、Ｔ１は、非接触ＩＣカード１０が電磁波減衰シート９の取り付け領域側に近付いて来る状態での電波強度の時間的な推移を示し、電磁波減衰シート９による影響が強い区間、つまり、電波強度の弱い（低い）区間を示し、また、Ｔ２は、非接触ＩＣカード１０が電磁波減衰シート９の取り付け領域以外の領域に近付いて来る状態での電波強度の時間的な推移を示し、電磁波減衰シート９による影響が無い区間、つまり、電波強度の強い（高い）区間を示している。
【００３０】
区間Ｔ１内において電波強度は、非接触ＩＣカード１０が近付いて来るに従って徐々に強くなるが、本来の値の略４０％程度に減衰されたものとなる。この区間Ｔ１を過ぎると、電波強度は、非接触ＩＣカード１０が近付いて来るに従って徐々に強くなって、ピーク点に達するようになる。その後、電磁波減衰シート９による影響の無い区間Ｔ２となり、非接触ＩＣカード１０が遠ざかるかに従って電波強度は徐々に弱くなる。ここで、電波強度のピーク点を基準として一定時間（例えば、０．２秒）前の電波強度（区間Ｔ１内の電波強度Ｌ１）と、一定時間（例えば、０．２秒）後の電波強度（区間Ｔ２内の電波強度Ｌ２）とは、Ｌ１＜Ｌ２の関係となる。
【００３１】
これに対して非接触ＩＣカード１０の移動方向が（Ｂ）の場合には、図３（２）に示すように、ピーク点の一定時間前の電波強度Ｌ１（区間Ｔ１内の電波強度Ｌ１）とその一定時間後の電波強度（区間Ｔ１内の電波強度Ｌ２）とは、Ｌ１＞Ｌ２の関係となる。このように非接触ＩＣカード１０の移動方向が（Ａ）の場合と（Ｂ）の場合とでは、電波強度Ｌ１、Ｌ２の関係が異なるために、ＣＰＵ１は、非接触ＩＣカード１０がＩＣカードリーダ６に近付いて来てから遠ざかるまでの間、アンテナ７を介して受信した電波の強度を電波強度検出部８から逐次取得すると、この逐次取得した電波強度を示す一連のデータの中に含まれていて電磁波減衰シート９による影響を受けているデータ部分を参照することによりアンテナ７に対する非接触ＩＣカード１０の動き（移動方向）を認識するようにしている。
【００３２】
この場合、ＣＰＵ１は、逐次取得した電波強度を示す一連のデータの中からピーク点を検出すると共に、このピーク点を基準として一定時間前の電波強度Ｌ１と、一定時間後の電波強度Ｌ２を検出してそれらの大小を比較することにより非接触ＩＣカード１０の動き（移動方向）を認識するようにしている。言い換えれば、逐次取得した電波強度を示す一連のデータのうち、電磁波減衰シート９による影響を受けているデータ部分とそれ以外のデータ部分との位置関係に応じてアンテナ７に対する非接触ＩＣカード１０の移動方向を認識するようにしている。すなわち、ＣＰＵ１は、図２（２）に示すように左側から右側方向への移動方向（Ａ）、つまり、入場時における移動方向であるかを認識したり、図２（３）に示すように右側から左側方向への移動方向（Ｂ）、つまり、退場時における移動方向であるかを認識したりする。そして、ＣＰＵ１は、認識した非接触ＩＣカード１０の動き（移動方向）に応じて所定の入出管理処理（入場処理、退場処理）の実行を指示するようにしている。
【００３３】
次に、第１実施形態における自動改札装置の動作概念を図４に示すフローチャートを参照して説明する。ここで、このフローチャートに記述されている各機能は、読み取り可能なプログラムコードの形態で格納されており、このプログラムコードに従った動作が逐次実行される。また、ネットワークなどの伝送媒体を介して伝送されてきた上述のプログラムコードに従った動作を逐次実行することもできる。このことは、後述する他の実施形態においても同様であり、記録媒体のほかに、伝送媒体を介して外部供給されたプログラム／データを利用して本実施形態特有の動作を実行することもできる。
【００３４】
図４は、非接触ＩＣカード１０の認識処理に関する自動改札装置の動作概要を示したフローチャートである。なお、図４は、自動改札装置の全体動作のうち、本実施形態の特徴部分の動作概要を示したフローチャートであり、この図４のフローから抜けた際には、全体動作のメインフロー（図示省略）に戻る。
先ず、ＣＰＵ１は、電波強度検出部８からの検出結果に基づいて非接触ＩＣカード１０を認識することができたか、つまり、非接触ＩＣカード１０がＩＣカードリーダ６に近付いて来たかを判別しながら非接触ＩＣカード１０を認識できるまで待機状態となる（ステップＡ１）。
【００３５】
ここで、非接触ＩＣカード１０が近付いて来たことにより非接触ＩＣカード１０を認識することができたときには（ステップＡ１でＹＥＳ）、電波強度検出部８から電波強度を逐次取得して（ステップＡ２）、一定時間（サンプリング時間）毎に電波強度データとしてＲＡＭ３内に一時記憶させる（ステップＡ３）。そして、非接触ＩＣカード１０内に記憶されているカード情報をＩＣカードリーダ６から読み出し取得したかを調べ（ステップＡ４）、カード情報を取得するまで（ステップＡ２でＮＯ）、上述のステップＡ２に戻り、電波強度を逐次取得しながらＲＡＭ３内に一時記憶させる動作を繰り返す。ここで、非接触ＩＣカード１０内のカード情報をＩＣカードリーダ６から読み出し取得したときには（ステップＡ４でＹＥＳ）、このカード情報をＲＡＭ３内に一時記憶させた後（ステップＡ５）、非接触ＩＣカード１０がＩＣカードリーダ６から遠ざかるまで電波強度検出部８から電波強度を逐次取得し（ステップＡ６）、一定時間（サンプリング時間）毎に電波強度データとしてＲＡＭ３内に一時記憶させる（ステップＡ７）。
【００３６】
そして、電波強度検出部８からの検出結果に基づいて非接触ＩＣカード１０を認識することができなくなったか、つまり、非接触ＩＣカード１０がＩＣカードリーダ６から遠ざかったかを判別する（ステップＡ８）。そして、非接触ＩＣカード１０が遠ざかるまで（ステップＡ８でＹＥＳ）、上述のステップＡ６に戻り、電波強度を逐次取得して、ＲＡＭ３内に一時記憶させる動作を繰り返す（ステップＡ７）。いま、非接触ＩＣカード１０が遠ざかることによりそれを認識することができなくなった場合には（ステップＡ８でＮＯ）、非接触ＩＣカード１０がＩＣカードリーダ６に近付いて来てから遠ざかるまでの間、逐次取得した電波強度を示す一連のデータをＲＡＭ３から読み出して、そのピーク点を検出すると共に（ステップＡ９）、このピーク点を基準として一定時間（例えば、０．２秒）前の電波強度Ｌ１と一定時間（例えば、０．２秒）後の電波強度Ｌ２をそれぞれ検出する（ステップＡ１０）。
【００３７】
次に、上述のようにして検出した一定時間前の電波強度Ｌ１と一定時間後の電波強度Ｌ２との大小を比較して、Ｌ１≦Ｌ２の関係にあるか、Ｌ１＞Ｌ２の関係にあるかを調べる（ステップＡ１１）。いま、一定時間後の電波強度Ｌ２が一定時間前の電波強度Ｌ１以上で、Ｌ１≦Ｌ２の関係が成り立つ場合には、図２（２）に示すように、左側から右側方向への移動方向（Ａ）、つまり、入場時における移動方向であると認識して（ステップＡ１２）、入場処理の実行を指示する（ステップＡ１３）。また、一定時間前の電波強度Ｌ１が一定時間後の電波強度Ｌ２よりも大きく、Ｌ１＞Ｌ２の関係が成り立つ場合には、図２（３）に示すように、右側から左側方向への移動方向（Ｂ）、つまり、退場時における移動方向であると認識して（ステップＡ１４）、退場処理の実行を指示する（ステップＡ１５）。その後、最初のステップＡ１に戻り、次の非接触ＩＣカード１０がＩＣカードリーダ６に近付いて来るまで待機状態となる。
【００３８】
以上のように、第１実施形態においてＣＰＵ１は、電波強度検出部８から逐次取得した電波強度を示す一連のデータのうち、電磁波減衰シート９による影響を受けているデータ部分を参照することにより、アンテナ７に対する非接触ＩＣカード１０の動きを認識し、この非接触ＩＣカード１０の動きに応じて所定の処理を実行させるようにしたので、非接触ＩＣカード１０とアンテナ７との距離関係やアンテナ７の設置状態に拘わらず、アンテナ７に対する非接触ＩＣカード１０の動きに応じて所定の処理を適切に実行させることができ、実用性に富んだものとなる。
【００３９】
電磁波減衰シート９は、非接触ＩＣカード１０の移動方向に応じてアンテナ７の一部分に設けられた電波強度を変化させるための物質であり、ＣＰＵ１は、逐次取得した電波強度を示す一連のデータのうち、電磁波減衰シート９による影響を受けているデータ部分とそれ以外のデータ部分との位置関係に応じてアンテナ７に対する非接触ＩＣカード１０の移動方向を認識するようにしたので、図２（２）に示すように左側から右側方向への入場時の移動方向（Ａ）と、図２（３）に示すように右側から左側方向への退場時の移動方向（Ｂ）を容易かつ適切に認識することができる。
【００４０】
アンテナ７は、平面ループアンテナであり、電磁波減衰シート９を平面ループアンテナ７の一部分に取り付けるようにしたので、例えば、点状や線状のアンテナに比べて非接触ＩＣカード１０の移動方向を適切に認識することができる。
【００４１】
ＣＰＵ１は、認識した非接触ＩＣカード１０の移動方向に応じて所定の入出管理処理（入場処理、退場処理）を実行させるようにしたので、利用者にあっては別途のキーボードから操作を行う必要がなく、自動改札装置の上面部（ＩＣカードリーダの対応部分）にかざしながら又は滑らせながら入場したり、退場したりすればよく、ユーザの負担を軽減することができる。
【００４２】
なお、上述した第１実施形態においては、アンテナ７の左半分の領域に電磁波減衰シート９を取り付けるようにしたが、これに限らず、アンテナ７の右半分の領域に電磁波減衰シート９を取り付けるようにしてもよく、また、アンテナ７の半分領域に限らず、１／３、１／４の領域など、電磁波減衰シート９を取り付ける広さも任意である。
【００４３】
上述した第１実施形態においては、アンテナ７を平面ループアンテナとしたが、例えば、一部分に電磁波減衰シート９を取り付けた棒状アンテナや線状のアンテナであってもよい。この場合、棒状アンテナや線状のアンテナの長さ方向が利用者の進行方向に沿うように、そのアンテナを配置するようにすればよい。
【００４４】
上述した第１実施形態においてＣＰＵ１は、逐次取得した電波強度を示す一連のデータの中からピーク点を検出すると共に、このピーク点を基準として一定時間前の電波強度Ｌ１と、一定時間後の電波強度Ｌ２をそれぞれ検出してそれらの大小を比較することにより非接触ＩＣカード１０の移動方向を認識するようにしたが、ピーク点の前後の電波強度の変化度合いを算出し、変化の大きい方を電磁波減衰シート９による影響を受けている側であると判断するようにしてもよい。また、非接触ＩＣカード１０の移動方向に応じて変化する電波強度の変化パターンを予め実測しておいた標準パターンとして用意しておき、実際の利用時に検出した電波強度の変化パターンと上述の標準パターンとを比較するパターンマッチングにより非接触ＩＣカード１０の移動方向を認識するようにしてもよい。
【００４５】
また、上述した第１実施形態においては、非接触ＩＣカード（交通カード）１０を使用する自動改札装置に適用した場合を例示したが、会社、劇場、映画館などの施設への入出管理装置に適用するようにしてもよい。
【００４６】
上述した第１実施形態においては、非接触ＩＣカード１０の移動方向を認識することにより入出管理処理（入場処理、退場処理）の実行を指示するようにしたが、非接触ＩＣカード１０の移動方向に応じた処理としては、入出管理処理に限らず、非接触ＩＣカード１０の移動方向に応じて所定の情報（文字、コマンド）を入力する情報入力処理の実行を指示するようにしてもよい。このように非接触ＩＣカード１０の移動方向に応じて所定の情報を入力可能とすれば、利用者にあっては別途のキーボードから操作を行う必要はなく、非接触ＩＣカード１０を所持して移動するだけで所定の情報を入力することができ、さらに利便性の向上を期待することができる。
【００４７】
（第２実施形態）
以下、この発明の第２実施形態について図５〜図８を参照して説明する。
なお、上述した第１実施形態においては、非接触ＩＣカード１０の１次元的な動き（移動方向）を認識して入出管理処理（入場処理、退場処理）の実行を指示するようにした自動改札装置に適用した場合を示したが、この第２実施形態においては、通信端末装置として、ハンディターミナル（データ収集端末）に適用した場合を示したもので、非接触ＩＣカード１０の２次元的な動きを認識し、この２次元的な動きに応じて所定の情報（文字、コマンド）を入力する情報入力処理を実行するようにしたものである。なお、両実施形態において基本的あるいは名称的に同一のものは、同一符号を付して示し、その説明を省略すると共に、以下、第２実施形態の特徴部分を中心に説明するものとする。
【００４８】
ハンディターミナルは、例えば、スケジュール機能、在庫管理機能などの各種のアプリケーションを有し、図示省略するが、その基本構成は、自動改札装置と同様に、ＣＰＵ１を中核として動作するもので、ＣＰＵ１、記憶部２、ＲＡＭ３、表示部４、入力部５、ＩＣカードリーダ６、アンテナ７、電波強度検出部８を有し、ＣＰＵ１は、電源部（図示省略）からの電力供給によって動作し、記憶部２内の各種のプログラムに応じてこのハンディターミナルの全体動作を制御する。さらにアンテナ７には２枚の電磁波減衰シート９Ａ、９Ｂが取り付けられている。
【００４９】
図５は、第２実施形態においてアンテナ７の一部分に電磁波減衰シート９Ａ、９Ｂを取り付けた状態を示した図である。
アンテナ７は、第１実施形態と同様に、同一平面上に配置されていて全体が矩形枠（長方形枠）に設けられた平面ループアンテナで、このアンテナ７上には、電波強度の変化量（電波減衰レベル）がそれぞれ異なる複数枚（２枚）の電磁波減衰シート９Ａ、９Ｂがそれらの一部分を重ね合わせた状態で取り付けられている。なお、電磁波減衰シート９Ａ、９Ｂは、第１実施形態と同様に、シート全体の減衰率は均一となっているが、電磁波減衰シート９Ａの減衰率と電磁波減衰シート９Ｂの減衰率とはそれぞれ異なっている。
【００５０】
この場合、図中、アンテナ７の略右半分の領域には、電磁波減衰シート９Ａが取り付けられ、また、アンテナ７の略上半分の領域には、電磁波減衰シート９Ｂが取り付けられている。そして、電磁波減衰シート９Ａの略上半分の領域と電磁波減衰シート９Ｂの略右半分の領域とは、重ね合わせられた状態で取り付けられている。このようにアンテナ７に２枚の電磁波減衰シート９Ａ、９Ｂを取り付けることによりアンテナ７は、電波感度の異なる４つの領域に区分されることになる。
【００５１】
電磁波減衰シート９Ａ、９Ｂは、第１実施形態で説明したようにアンテナ７が感知する電波強度を変化（減衰）させるためのもので、電波の一部を反射する反射型又は吸収する吸収型の電磁波減衰シートである。この場合、電磁波減衰シート９Ａの減衰レベルと電磁波減衰シート９Ｂの減衰レベルがＡ＜Ｂの関係にあるものとすると、アンテナ７上の４つの領域を領域No.“０”〜“３”で示すと、各領域に対応する電波強度の減衰レベルは、“No.０”＜“No.１”＜“No.２”＜“No.３”の関係となる。すなわち、領域No.“０”の領域は、電磁波減衰シート９Ａ、９Ｂが取り付けられていない部分（非シート部分）で、電波強度減衰が無しの領域となっている。領域No.“１”の領域は、電磁波減衰シート９Ａが取り付けられている部分（シート部分）で、電波強度減衰が弱の領域となっている。領域No.“２”の領域は、電磁波減衰シート９Ｂが取り付けられている部分（シート部分）で、電波強度減衰が中の領域となっている。領域No.“３”の領域は、電磁波減衰シート９Ａと電磁波減衰シート９Ｂが重なり合った部分（シート重合部分）で、電波強度減衰が強の領域となっている。
【００５２】
このように電波感度の異なる４つの領域にアンテナ７を区分することによりアンテナ７上での非接触ＩＣカード１０の動きを認識することができる。ＣＰＵ１は、非接触ＩＣカード１０の２次元的な動きに応じて所定の情報（例えば、文字、数字、コマンド）を入力する情報入力処理の実行を指示するようにしている。すなわち、アンテナ７上での非接触ＩＣカード１０の２次元的な動きを、情報を入力するための入力操作としているが、利用者は、アンテナ７が取り付けられているハンディターミナルの上面部側に非接触ＩＣカード１０をかざしながら又は滑らせながら非接触ＩＣカード１０を２次元的に動かすようにしている。
【００５３】
図６は、第２実施形態においてアンテナ７上での非接触ＩＣカード１０の２次元的な動きに応じて、どのような情報が入力されるのかを説明するための図である。
「動きパターン」は、非接触ＩＣカード１０の２次元的な動き（移動軌跡）の種類を示し、４つの領域のうち、いずれか２つの領域を通る直線的な動きに応じて１２種類の動きパターン（１）〜（１２）に分かれている。すなわち、４種類の横方向の動きと、４種類の縦方向の動きと、４種類の斜め方向の動きに分かれている。例えば、動きパターン（１）は、領域No.“０”から領域No.“１”の領域への横方向（図中、左から右）の動き（移動軌跡）を示している。動きパターン（２）は、領域No.“０”から領域No.“２”の領域への縦方向（図中、下から上）の動きを示し、…、動きパターン（１２）は、領域No.“３”から領域No.“０”の領域への斜め方向（図中、右上から左下）の動きを示している。
【００５４】
「電波強度変化パターン」は、非接触ＩＣカード１０の２次元的な動きに応じた電波強度の時間的な推移を示し、４つの領域のうち、いずれか２つの領域を通る直線的な動きに応じて電波強度が２段階に変化するパターンである。ここで、アンテナ７上の４つの領域に対応した電波強度レベルは、“No.０”＞“No.１”＞“No.２”＞“No.３”の関係となっている。例えば、動きパターン（１）に対応する「電波強度」は、電波強度が最も高いレベルから２番目に高いレベルの２段階に推移する波形となっている。また、動きパターン（２）に対応する「電波強度変化パターン」は、電波強度が最も高いレベルから３番目に高いレベルの２段階に推移する波形となり、…、動きパターン（１２）に対応する「電波強度変化パターン」は、電波強度が最も低いレベルから最も高いレベルの２段階に推移する波形となっている。
【００５５】
「入力情報」は、非接触ＩＣカード１０の２次元的な動きに応じてどのような情報が入力されるかを示したものである。すなわち、非接触ＩＣカード１０の２次元的な動きに応じた入力情報として「大文字のアルファベット文字」が入力される場合、「大文字／小文字のアルファベット文字」が入力される場合、「数値」が入力される場合、「コマンド」が入力される場合のうち、どのような情報を入力情報とするかは、予めユーザ操作により任意に選択可能となっている。
【００５６】
例えば、入力情報として「大文字のアルファベット文字」が選択されている場合には、動きパターン（１）〜（１２）に対応して文字“Ａ”〜“Ｌ”が入力され、「大文字／小文字のアルファベット文字」が選択されている場合には、動きパターン（１）〜（１２）に対応して文字“ａ”〜“ｄ”、“Ａ”〜“Ｄ”、“ｅ”、“ｆ”、“Ｅ”、“Ｆ”が入力される。また、入力情報として「数値」が選択されている場合には、動きパターン（１）〜（１２）に対応して“１”〜“１２”が入力され、「コマンド」が選択されている場合には、動きパターン（１）〜（１２）に対応してコマンド“Ｓｔａｒｔ”、“Ｕｐ”、“Ｅｎｄ”、…“Ｃａｎｃｅｌ”が入力される。
【００５７】
図７は、第２実施形態において情報の入力開始を指示する指示操作に応答して実行開始される情報入力処理を示したフローチャートである。なお、図７は、ハンディターミナルの全体動作のうち、本実施形態の特徴部分の動作概要を示したフローチャートであり、この図７のフローから抜けた際には、全体動作のメインフロー（図示省略）に戻る。
先ず、ＣＰＵ１は、情報の入力開始が指示されてからの経過時間を計測する入力時間タイマ（図示省略）の計測動作を開始させた後（ステップＢ１）、電波強度検出部８からの検出結果に基づいて非接触ＩＣカード１０を認識することができたか、つまり、非接触ＩＣカード１０がＩＣカードリーダ６に近付いて来たかを判別する（ステップＢ２）。ここで、非接触ＩＣカード１０を認識することができなければ（ステップＢ２でＮＯ）、上述の入力時間タイマがタイムアウトになったかを調べ（ステップＢ３）、タイムアウトとなっても非接触ＩＣカード１０を認識することができなかったときには（ステップＢ３でＹＥＳ）、図７のフローの終了となる。
【００５８】
また、タイムアウトになる前に非接触ＩＣカード１０を認識することができたときには（ステップＢ２でＹＥＳ）、電波強度検出部８から電波強度を逐次取得して（ステップＢ４）、一定時間（サンプリング時間）毎に電波強度データとしてＲＡＭ３内に一時記憶させる（ステップＢ５）。そして、非接触ＩＣカード１０内のカード情報をＩＣカードリーダ６から取得した後（ステップＢ６）、電波強度検出部８からの検出結果に基づいて非接触ＩＣカード１０を認識することができなくなったか、つまり、非接触ＩＣカード１０がＩＣカードリーダ６から遠ざかったかを判別する（ステップＢ７）。そして、非接触ＩＣカード１０が遠ざかるまで、上述のステップＢ４に戻り、電波強度を逐次取得してＲＡＭ３内に一時記憶させる動作を繰り返す。
【００５９】
いま、非接触ＩＣカード１０がＩＣカードリーダ６から遠ざかり、それを認識することができなくなったときには（ステップＢ７でＮＯ）、情報を入力する操作が終わったものと判断してステップＢ８に移り、ＲＡＭ３内のカード情報に基づいて、文字入力用のＩＣカードであるか、コマンド入力用のＩＣカードであるかを調べる（ステップＢ９）。なお、この第２実施形態において非接触ＩＣカード１０には、文字入力用かコマンド入力用かを示すカード情報が記憶されている。なお、文字入力用のＩＣカードとは、図６の「大文字のアルファベット文字」、「大文字／小文字のアルファベット文字」、「数値」のいずれかを入力する非接触ＩＣカード１０である。ここで、非接触ＩＣカード１０が文字入力用のＩＣカードであれば（ステップＢ８でＹＥＳ）、非接触ＩＣカード１０の２次元的な動きに応じたパターンを判定するパターン判定処理の実行に移る（ステップＢ１０）。
【００６０】
図８は、パターン判定処理（図７のステップＢ１０）を詳述するためのフローチャートである。
先ず、ＲＡＭ３から電波強度を示す一連のデータを読み出して（ステップＣ１）、それを解析することにより２段階の電波強度であるか、つまり、アンテナ７上における４つの領域のうち、いずれか２つの領域を通る直線的な動きに応じて変化する電波強度であるかを調べ（ステップＣ２）、２段階の電波強度であれば（ステップＣ２でＹＥＳ）、情報入力用としての非接触ＩＣカード１０の正規な動きであると判断してステップＣ３に移り、１２種類の動きパターンのうち、どの種類の動きパターンであるかを判定して、該当するパターンの有無を調べ、該当するパターンが無ければ（ステップＣ３でＮＯ）、図８のフローの終了となるが、該当するパターンがあれば（ステップＣ３でＹＥＳ）、そのパターンNo.を取得する（ステップＣ４）。
【００６１】
なお、２段階の電波強度でない場合（ステップＣ２でＮＯ）又は該当するパターンを判定することができなかった場合には（ステップＣ３でＮＯ）、予め実測して記憶させておいた標準パターンを読み出し（ステップＣ５）、今回の情報入力時に検出された電波強度の変化パターンと上述の標準パターンとを比較するパターンマッチングを行うことにより、１２種類のパターンのうち、どの種類のパターンに近似しているかを判定し（ステップＣ６）、該当するパターンNo.を取得する（ステップＣ４）。なお、どのような標準パターンにも近似していなければ（ステップＣ６でＮＯ）、図８のフローの終了となる。
【００６２】
このようなパターン判定処理（図７のステップＢ１０）が終了すると、所定のアプリケーション（例えば、スケジュール機能、在庫管理機能など）に対して文字入力処理の実行を指示し、上述の判定処理により取得したパターンNo.対応の文字データを読み出して（ステップＢ１１）、上述の所定のアプリケーションに入力文字として送る（ステップＢ１２）。例えば、入力情報として「大文字のアルファベット文字」が選択されている場合には、動きパターン（１）〜（１２）に対応して文字“Ａ”〜“Ｌ”が入力文字となり、「大文字／小文字のアルファベット文字」が選択されている場合には、動きパターン（１）〜（１２）に対応して文字“ａ”〜“ｄ”、“Ａ”〜“Ｄ”、“ｅ”、“ｆ”、“Ｅ”、“Ｆ”が入力文字となり、「数値」が選択されている場合には、動きパターン（１）〜（１２）に対応して“１”〜“１２”が入力文字となる。そして、ＲＡＭ３内に一時記憶させたデータを消去した後（ステップＢ１３）、上述のステップＢ２に戻る。
【００６３】
一方、コマンド入力用のＩＣカードであれば（ステップＢ９でＹＥＳ）、非接触ＩＣカード１０の２次元的な動きに応じたパターンを判定するパターン判定処理を実行する（ステップＢ１４）。この場合のパターン判定処理も図８のフローチャートに従って実行される。そして、所定のアプリケーション（例えば、スケジュール機能、在庫管理機能など）に対してコマンド入力処理の実行を指示し、上述の判定処理により取得したパターンNo.対応のコマンドを読み出して（ステップＢ１５）、上述の所定のアプリケーションに入力コマンドとして送る（ステップＢ１６）。
【００６４】
この場合、動きパターン（１）〜（１２）に対応してコマンド“Ｓｔａｒｔ”、“Ｕｐ”、“Ｅｎｄ”、…“Ｃａｎｃｅｌ”が入力コマンドとなる。そして、ＲＡＭ３内に一時記憶させたデータを消去した後（ステップＢ１３）、上述のステップＢ２に戻る。なお、認識した非接触ＩＣカード１０が文字入力用のＩＣカードではなく（ステップＢ８でＮＯ）、しかもコマンド入力用のＩＣカードでもなければ（ステップＢ９でＮＯ）、文字入力処理やコマンド入力処理を実行させる場合でないので、ＲＡＭ３内に一時記憶させたデータを消去した後（ステップＢ１３）、上述のステップＢ２に戻る。
【００６５】
以上のように、第２実施形態においては、電波強度の変化量（電波減衰レベル）がそれぞれ異なる複数枚の電磁波減衰シート９Ａ、９Ｂでアンテナ（平面ループアンテナ）７をマトリックス状に複数の領域に区分することにより、アンテナ７の領域毎に電波感度が異なるようにしたので、このアンテナ７に対する非接触ＩＣカード１０の２次元的な動きを適切に認識することができ、アンテナ７に対する非接触ＩＣカード１０の動きに応じて所定の処理を適切に実行することができる。
【００６６】
電波強度の変化量（電波減衰レベル）がそれぞれ異なる複数枚（２枚）の電磁波減衰シート９Ａ、９Ｂがそれらの一部分を重ね合わせた状態でアンテナ（平面ループアンテナ）７に取り付けるようにしたので、２枚の電磁波減衰シート９Ａ、９Ｂを使用するだけで、電波感度がそれぞれ異なるマトリックス状の複数の領域に簡単に区分することができ、その製造も容易なものとなる。
【００６７】
アンテナ７に対する非接触ＩＣカード１０の２次元的な動きに応じて所定の情報（文字、コマンド）を入力する情報入力処理の実行を指示するようにしたから、アンテナ７に対して非接触ＩＣカード１０を動かすだけで、その動きに応じて所定の情報（文字、コマンド）を入力することができ、利便性の高いものとなる。
【００６８】
認識した非接触ＩＣカード１０が文字入力用のＩＣカードであることを条件に、文字入力処理の実行を指示し、コマンド入力用のＩＣカードであることを条件に、コマンド入力処理の実行を指示するようにしたので、特別なキー操作を行わなくても、非接触ＩＣカード１０の種類に応じた処理を実行することができる。
【００６９】
なお、上述した第２実施形態においては、アンテナ７を４つの領域に区分するようにしたが、これに限らず、例えば、３×３の９つの領域に区分したり、４×４の１６の領域に区分したりするようにしてもよい。このように区分数を多くすると、それに応じて入力対象の情報数も多くすることができる。
【００７０】
上述した第２実施形態においては、アルファベット文字を入力するようにしたが、片仮名、平仮名、漢字などの文字を入力するようにしてもよい。また、上述した第２実施形態においては、非接触ＩＣカード１０の１回の動きで１文字を入力する場合を例示したが、これに限らず、非接触ＩＣカード１０の１回の動きで名前、住所、パスワードなどの文字列を入力するようにしてもよい。
【００７１】
（第３実施形態）
以下、この発明の第３実施形態について図９及び図１０を参照して説明する。
なお、上述した第２実施形態においては、ハンディターミナルにおいて、非接触ＩＣカード１０の２次元的な動き（移動軌跡）の種類として、２つの領域を通る直線的な動きに応じて１２種類のパターン（１）〜（１２）を示したが、この第３実施形態においては、例えば、３つの領域を跨る動きや４つの領域を跨る動きなど、各領域間を自由に動きながら情報を連続的に入力できるようにしたハンディターミナルに適用したものである。
【００７２】
図９（１）は、第３実施形態において、アンテナ７の一部分に電磁波減衰シート９Ａ、９Ｂを取り付けた状態を示すと共に、アンテナ７に対する非接触ＩＣカード１０の動きを示した図である。アンテナ７は、第２実施形態と同様に、平面ループアンテナであるが、このアンテナ７上に、電波強度の変化量（電波減衰レベル）がそれぞれ異なる複数枚（２枚）の電磁波減衰シート９Ａ、９Ｂがそれらの一部分を重ね合わせて取り付けることにより、アンテナ７は、電波感度が異なる４つの領域に区分されている。
【００７３】
図９（２）は、アンテナ７に対する非接触ＩＣカード１０の２次元的な動きとして、２つの領域に跨って移行された場合の電波強度変化パターンを示した図で、アンテナ７上のどの領域からどの領域に移行されたかの移行箇所の前後における電波強度変化パターンを示している。ここで、移行箇所とは、電波強度が変化（減少又は増加）している箇所を示している。図示のようにマトリックス状の表内において、その縦方向には領域Ｎｏ．“０”〜“３”が配置され、また、横方向にも領域Ｎｏ．“０”〜“３”が配置されている。また、図示の横方向の破線は、アンテナ７上の４つの領域に対応した電波強度レベルを示し、各電波強度レベルは、“Ｎｏ．０”＞“Ｎｏ．１”＞“Ｎｏ．２”＞“Ｎｏ．３”の関係となっている。また、図示の横方向の実線は、ＩＣカードリーダ６の周囲に非接触ＩＣカード１０が存在していない状態での電波強度レベルを示している。
【００７４】
そして、縦方向の領域は、移行前の領域、横方向の移行後の領域を示している。例えば、領域Ｎｏ．“０”の領域から領域Ｎｏ．“３”の領域に移行させた場合の電波強度変化パターンは、図中、右上角部（縦“０”と横“３”の交差部）のパターンとなり、最も強い電波強度から最も弱い電波強度に変化するパターンとなる。続けて、領域Ｎｏ．“３”の領域から領域Ｎｏ．“２”の領域させた場合の電波強度変化パターンは、縦“３”と横“２”の交差部のパターンとなる。また、領域Ｎｏ．“２”の領域から領域Ｎｏ．“１”の領域させた場合の電波強度変化パターンは、縦“２”と横“１”の交差部のパターンとなり、さらに領域Ｎｏ．“１”の領域から領域Ｎｏ．“３”の領域させた場合の電波強度変化パターンは、縦“１”と横“３”の交差部のパターンとなる。
【００７５】
このようにアンテナ７に対する非接触ＩＣカード１０の２次元的な動きとして、複数の領域を跨る動きが行われた場合に、ＣＰＵ１は、アンテナ７上のどの領域からどの領域に移行されたかに応じて、移行箇所毎にその領域に関する情報を入力するようにしている。すなわち、移行箇所の前後における領域のうち、移行前の領域Ｎｏ．を入力情報としている。従って、上述したように、領域Ｎｏ．“０”、“３”、“２”、“１”、“３”のように複数の領域を跨る動きが行われた場合には、入力される情報は、領域Ｎｏ．“０、３、２、１、３”となる。
【００７６】
図１０は、第３実施形態において情報の入力開始を指示する指示操作に応答して実行開始される情報入力処理を示したフローチャートである。なお、図１０は、ハンディターミナルの全体動作のうち、本実施形態の特徴部分の動作概要を示したフローチャートであり、この図１０のフローから抜けた際には、全体動作のメインフロー（図示省略）に戻る。
先ず、ＣＰＵ１は、情報の入力開始が指示されてからの経過時間を計測する入力時間タイマ（図示省略）の計測動作を開始させた後（ステップＤ１）、電波強度検出部８からの検出結果に基づいて非接触ＩＣカード１０を認識することができたか、つまり、非接触ＩＣカード１０がＩＣカードリーダ６に近付いて来たかを判別する（ステップＤ２）。ここで、非接触ＩＣカード１０を認識することができなければ（ステップＤ２でＮＯ）、上述の入力時間タイマがタイムアウトになったかを調べ（ステップＤ３）、タイムアウトになっても非接触ＩＣカード１０を認識することができなかったときには（ステップＤ３でＹＥＳ）、図１０のフローの終了となる。
【００７７】
また、タイムアウトになる前に非接触ＩＣカード１０を認識することができた場合には（ステップＤ２でＹＥＳ）、電波強度検出部８から電波強度を逐次取得して（ステップＤ４）、一定時間（サンプリング時間）毎に電波強度データとしてＲＡＭ３内に一時記憶させる（ステップＤ５）。そして、非接触ＩＣカード１０内のカード情報をＩＣカードリーダ６から取得した後（ステップＤ６）、認識した非接触ＩＣカード１０は、文字入力用のＩＣカードであるかを調べ（ステップＤ７）、文字入力用のＩＣカードでなければ（ステップＤ７でＮＯ）、図１０のフローの終了となる。また、文字入力用のＩＣカードであれば（ステップＤ７でＹＥＳ）、電波強度検出部８からの検出結果に基づいて非接触ＩＣカード１０を認識することができなくなったか、つまり、非接触ＩＣカード１０がＩＣカードリーダ６から遠ざかったかを判別する（ステップＤ８）。そして、非接触ＩＣカード１０が遠ざかるまで、上述のステップＤ４に戻り、電波強度を逐次取得してＲＡＭ３内に一時記憶させる動作を繰り返す。
【００７８】
いま、非接触ＩＣカード１０がＩＣカードリーダ６から遠ざかり、それを認識することができなくなったときには（ステップＤ８でＹＥＳ）、情報を入力する操作が終わったものと判断してステップＤ９に移り、ＲＡＭ３から電波強度を示す一連のデータを読み出して、それを解析することにより、各移行箇所のうち、先頭の移行箇所を指定する。そして、指定した移行箇所の前後の電波強度は、図９（２）に示した表内のどの電波強度変化パターンに該当するかを判定し、その移行前の領域Ｎｏ．を取得する（ステップＤ１０）。そして、所定のアプリケーション（例えば、スケジュール機能、在庫管理機能など）に対して文字入力処理の実行を指示し（ステップＤ１１）、上述の判定処理により取得した移行前の領域Ｎｏ．を、上述の所定のアプリケーションに送る（ステップＤ１２）。
【００７９】
そして、ＲＡＭ３から読み出した電波強度を示す一連のデータの中に未指定の移行箇所（電波強度が変化している箇所）があるか、つまり、全ての移行箇所を指定し終わったかを調べ（ステップＤ１３）、全ての移行箇所を指定し終わっていなければ（ステップＤ１３でＮＯ）、次の移行箇所を指定する（ステップＤ１４）。その後、上述のステップＤ１０に戻り、どの電波強度変化パターンに該当するかを判定し、以下、全ての移行箇所を指定し終わるまで上述の動作を繰り返すが、全ての移行箇所を指定し終わったときには（ステップＤ１３でＹＥＳ）、図１０のフローの終了となる。
【００８０】
以上のように、第３実施形態においては、複数枚の電磁波減衰シート９Ａ、９Ｂによりアンテナ７が領域毎に電波感度が異なるように区分されている状態において、ＣＰＵ１は、アンテナ７に対する非接触ＩＣカード１０の２次元的な動きとして、アンテナ７上のどの領域からどの領域に移行されたかの移行箇所を認識し、移行箇所毎にその移行箇所の領域に関する情報を入力するようにしたので、例えば、ユーザにあっては、アンテナ７に対する非接触ＩＣカード１０の２次元的な動きとして、各領域間を自由に動かすことにより情報を連続的に入力させることができ、アンテナ７に対する非接触ＩＣカード１０の動きに応じて所定の処理を適切に実行することが可能となる。
【００８１】
なお、上述した第３実施形態においては、アンテナ７を４つの領域に区分するようにしたが、これに限らず、例えば、３×３の９つの領域に区分したり、４×４の１６の領域に区分したりするようにしてもよい。このように区分数を多くすると、それに応じて入力対象の情報数も多くすることが可能となる。
【００８２】
上述した第３実施形態においては、アンテナ７を区分した領域Ｎｏ．を入力情報とするようにしたが、領域Ｎｏ．に対応する文字、コマンドのほか、名前、住所、パスワードなどの文字列を入力するようにしてもよい。また、領域Ｎｏ．の組み合わせに応じて、文字、コマンドのほか、文字列を入力するようにしてもよい。
【００８３】
また、第３実施形態においては、アンテナ７に対する非接触ＩＣカード１０の２次元的な動きとして、複数の領域を跨る複雑な動きを認識することができるが、その複雑な動き自体で本人認証を行うようにしてもよい。すなわち、予め登録されている電波強度の変化パターンと本人認証時に検出された電波強度の変化パターンとを比較することにより本人認証を行うようにしてもよい。
【００８４】
上述した各実施形態においては、アンテナ７が感知する電波強度を変化させるために、アンテナ７に電磁波減衰シート９を取り付けるようにしたが、アンテナ７が感知する電波強度を増幅させるために、アンテナ７に電磁波増幅シートを貼り付けるようにしてもよい。また、電磁波増幅シートと電磁波減衰シートを組み合わせるようにしてもよい。つまり、電波強度を変化（増幅、減衰）させるものであればよく、また、アンテナ７の所定の領域内を一律に減衰や増幅する場合に限らず、同じ領域内でも電波強度を変化させるようにしてもよい。また、電磁波減衰シートや電磁波増幅シートは、アンテナ７の一部に限らず、アンテナ７の全体に取り付けるようにしてもよい。この場合、アンテナ７の全体を複数の領域に区分し、領域毎に電波感度が異なるようにすればよい。また、シートに限らず、溶剤塗布によるコーティング、何らかの電波を発生する物質により電界を変化させる物質をアンテナ７に接近して設けるようにしてもよい。この場合もアンテナ７の全体をコーティングしたり、アンテナ７の全体を覆う空間に電界を発生させたりしてもよい。この場合、アンテナ７の全体を複数の領域に区分し、領域毎に電波感度が異なるようにすればよい。
【００８５】
上述した各実施形態においては、アンテナ７として平面ループアンテナを例示したが、ポール状など、その形状は問わず、また、複数のアンテナ７のいずれかに電波強度を変化させる物質を設けるようにしてもよい。また、非接触ＩＣカード１０に限らず、コイン型、ラベル型、スティック型のＲＦタグであってもよく、また、腕時計、携帯電話などにＲＦタグを埋め込んだものであってもよく、電波送信を行う無線ＩＣデバイスであればよい。
【００８６】
また、上述した実施形態においては、通信端末装置として、自動改札装置やハンディターミナルに適用した場合を示したが、無線ＩＣデバイスからアンテナを介して電波を受信する通信機能付きの携帯電話機・卓上電子計算機・腕時計・パーソナルコンピュータ・ＰＤＡ・音楽プレイヤーなどに適用するようにしてもよい。
また、上述した実施形態においては、非接触ＩＣカードが動く場合を例示したが、通信端末装置側が動く場合にも対応可能であり、勿論、非接触ＩＣカードと通信端末装置の両方が動く場合であってもよい。
【００８７】
その他、上述した各実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００８８】
１  ＣＰＵ
２  記憶部
５  入力部
６  ＩＣカードリーダ
７  アンテナ
１０  非接触ＩＣカード
８  電波強度検出部
９  電磁波減衰シート
【図１】
0005533420.tif 000002
【図２】
0005533420.tif 000003
【図３】
0005533420.tif 000004
【図４】
0005533420.tif 000005
【図５】
0005533420.tif 000006
【図６】
0005533420.tif 000007
【図７】
0005533420.tif 000008
【図８】
0005533420.tif 000009
【図９】
0005533420.tif 000010
【図１０】
0005533420.tif 000011